(57)【要約】【課題】盗聴の有無が検出でき、かつ通信レートを高めることができる量子暗号通信システムを提供すること。【解決手段】量子暗号通信システムは、送信者側送受信装置と受信者側送受信装置との間に、上記送信者側送受信装置から上記受信者側送受信装置へ光子の量子状態を情報に従って符号化した光パルス列を送信する光通信チャネルおよび上記送信者側送受信装置と上記受信者側送受信装置間で量子暗号通信手順に係わる事項を相互に連絡するために用いられる公開チャネルを有した量子暗号通信システムにおいて、上記送信者側送受信装置は、上記各光パルスに複数光子が含まれることが希な平均光子数の小さな単一光子光パルス列と、受信後においても光パルスに複数光子が含まれるような平均光子数の大きな複数光子光パルス列と、を含む光パルス列を送信する送信手段を有する。【選択図】図２
2005130194.tif 000002
【特許請求の範囲】
【請求項１】
送信者側送受信装置と受信者側送受信装置との間で、光通信チャネルを介して上記送信者側送受信装置から上記受信者側送受信装置へ光子の量子状態を送信する情報に従って符号化した光パルス列を送信するとともに公開チャネルを介して量子暗号通信手順に従って上記光パルス列に係わる信号処理を行う量子暗号通信システムにおいて、
上記送信者側送受信装置は、
上記各光パルスに複数光子が含まれることが希な平均光子数の小さな上記量子暗号通信手順に従った単一光子光パルス列と、
受信後においても光パルスに複数光子が含まれるような平均光子数の大きな複数光子光パルス列と、
を含む光パルス列を送信する送信手段を有することを特徴とする量子暗号通信システム。
【請求項２】
上記受信者側送受信装置は、
上記単一光子光パルス列を上記量子暗号通信手順に従って受信して復号化する受信手段を有することを特徴とする請求項１に記載の量子暗号通信システム。
【請求項３】
上記送信者側送受信装置と上記受信者側送受信装置は、
上記公開チャネルを介して互いに協働し、上記量子暗号通信手順に従って送信され受信された上記単一光子光パルス列の受信エラー率から上記送信者側送受信装置と上記受信者側送受信装置との間の盗聴の有無を判断する送信側盗聴検出手段と受信側盗聴検出手段をそれぞれ有することを特徴とする請求項２に記載の量子暗号通信システム。
【請求項４】
上記送信者側送受信装置は、
上記単一光子光パルス列および上記複数光子光パルス列の光強度の減衰率を可変に制御する可変減衰手段を有したことを特徴とする請求項１乃至３のいずれか一項に記載の量子暗号通信システム。
【請求項５】
上記可変減衰手段が、上記単一光子光パルス列の平均光子数の上限を変えることを特徴とする請求項４に記載の量子暗号通信システム。
【請求項６】
上記送信手段が、上記量子暗号通信手順に従って通信される平均光子数の異なる光パルス列の出現頻度を変えることを特徴とする請求項２に記載の量子暗号通信システム。
【請求項７】
量子暗号通信手順に従って受信者側送受信装置との相互連絡に使用される公開チャネルと、
光通信チャネルから入射する所定強度の光パルスを分割して第１の光パルスと第２の光パルスを生成する光分岐器と、
上記光分岐器で生成された第１の光パルスの強度を検出する光検出器と、
上記光分岐器で生成された第２の光パルスが入射するとともに反射されて戻ってくる第２の光パルスが再び入射する可変減衰器と、
上記可変減衰器を通過した第２の光パルスが入射するとともに反射されて戻ってくる第２の光パルスが再び入射する位相変調器と、
上記位相変調器を通過した第２の光パルスの進路を変更し上記位相変調器に再び入射させる反射鏡と、
上記位相変調器に入射する第２の光パルスの位相を変調し通信用データを付加させるとともに、上記可変減衰器に入射する第２の光パルスの強度を上記光検出器で検出された第１の光パルスの強度に基づいて制御する制御器と、
を備え、
上記可変減衰器は上記制御器の指示に基づいて強度を制御すると、単一光子を含む光パルス列と平均光子数が１よりも大きい光パルス列を生成することを特徴とする送信者側送受信装置。
【発明の詳細な説明】
【技術分野】
【０００１】
この発明は、情報に従って光子の量子状態を符号化して送受信することにより盗聴を防ぐことのできる量子暗号通信システムおよび送信者側送受信装置に関する。
【背景技術】
【０００２】
従来の量子暗号通信システムでは、レーザ光を減衰させて単一光子光パルス列を生成し、情報に従って光子の量子状態を、ここでは偏光方向を符号化し、好ましくは１光子ずつ伝送して通信を行っている。量子暗号通信手順（プロトコル）、通称ＢＢ８４では、光パルス毎に２種類の符号化基底のいずれかを用いて情報に従って光子の量子状態を符号化する。例えば、水平−垂直偏光方向の基底と、４５°−１３５°偏光方向の基底とのいずれかの基底を用い、それぞれの基底において、一方の偏光方向を「０」、もう一方を「１」と符号化している（例えば、非特許文献１参照。）。
【０００３】
【非特許文献１】エッチ・ジビンデン（Ｈ．Ｚｂｉｎｄｅｎ）、他３名、「クオアンタム  クリプトグラフィ（Ｑｕａｎｔｕｍ  ｃｒｙｐｔｏｇｒａｐｈｙ）」、（米国）、Ａｐｐｌｉｅｄ  Ｐｈｙｓｉｃｓ  Ｂ  ６７、１９９８年、ｐ．７４３−７４８
【発明の開示】
【発明が解決しようとする課題】
【０００４】
このような量子暗号通信システムにおいては、光パルスが光ファイバを通過するときの損失により、光子が消失して送信情報が欠損してしまうので、光子数が減少するだけの通常の古典的光通信システムと比較して、通信レートが低くなるという欠点があった。例えば、光ファイバ損失Ｌｆ＝０．２ｄＢ／ｋｍ、通信距離Ｉ＝５０ｋｍとしたとき、光ファイバ損失Ｌｆによって非特許文献１に記載の（１）、（２）式から求められる動作周波数νに対する通信レートＲは、Ｉ＝０ｋｍの通信レートＲ０に対して１０分の１となる。
また、単一光子光パルス列は、通常レーザ光を減衰して生成されるが、複数光子生成の発生率が極めて低くなるように過剰に減衰している。例えば、複数光子生成の発生率が０．５％以下となるように平均光子数μ＝０．１となるまで減衰した場合、通信レートＲはさらに１０分の１となる。
【０００５】
この発明の目的は、盗聴の有無が検出でき、かつ通信レートを高めることができる量子暗号通信システムおよび送信者側送受信装置を提供することである。
【課題を解決するための手段】
【０００６】
この発明に係わる量子暗号通信システムは、送信者側送受信装置と受信者側送受信装置との間で、光通信チャネルを介して上記送信者側送受信装置から上記受信者側送受信装置へ光子の量子状態を送信する情報に従って符号化した光パルス列を送信するとともに公開チャネルを介して量子暗号通信手順に従って上記光パルス列に係わる信号処理を行う量子暗号通信システムにおいて、上記送信者側送受信装置は、上記各光パルスに複数光子が含まれることが希な平均光子数の小さな上記量子暗号通信手順に従った単一光子光パルス列と、受信後においても光パルスに複数光子が含まれるような平均光子数の大きな複数光子光パルス列と、を含む光パルス列を送信する送信手段を有する。
【発明の効果】
【０００７】
この発明に係る量子暗号通信システムでは、単一光子よりなる光パルス列と複数光子よりなる光パルス列とを切り替えながら送信を行っている。そのため、盗聴者にはいつ単一光子光パルス列が送信されているかわからないので量子暗号通信が有する通信の安全性を確保できる。同時に、複数光子光パルス列の送信により光子消失に伴う送信情報の欠損を抑えられるので通信レートも高めることができる。
【発明を実施するための最良の形態】
【０００８】
実施の形態１．
図１は、この発明に係わる量子暗号通信システムのブロック図である。この量子暗号通信システムは、従来のシステムと送信者（以下、慣例に従いＡｌｉｃｅと称す。）側送受信装置（以下、送信装置と称す。）１の一部が異なっているだけで、受信者（以下、慣例に従いＢｏｂと称す。）側送受信装置（以下、受信装置と称す。）２は同様であるので、同様な部分の図示および説明は省略する。
【０００９】
送信装置１は、受信装置２と接続された光通信チャネルとしての光ファイバ３と、光ファイバ３から入射された所定強度の光パルスを分割して第１の光パルスと第２の光パルスを生成する光分岐器４と、位相変調器６を通過した第２の光パルスの進路を変更し位相変調器６に再び入射させる反射鏡としてのファラデーローテータ（Ｆａｒａｄａｙ  ｒｏｔａｔｏｒ）鏡５と、可変減衰器７を通過した第２の光パルスが入射するとともにファラデーローテータ鏡５で反射されて戻ってくる第２の光パルスが再び入射する位相変調器６と、光分岐器４で生成された第２の光パルスが入射するとともに反射されて戻ってくる第２の光パルスが再び入射する可変減衰器７とを有している。
さらに、送信装置１は、受信装置２から送られ光分岐器４で生成された第１の光パルスの強度を検出する光検出器としてのデテクタ（Ｄｅｔｅｃｔｏｒ）８を有している。
さらに、送信装置１は、デテクタ８で測定された光パルス列の強度に基づき、送信データに従いファラデーローテータ鏡５で反射された光パルス列の位相を変調するように位相変調器６を制御する位相変調手段９と、送信データに従い光パルス列を減衰する可変減衰器７を制御する減衰率制御手段１０と、受信装置２と協業して送信装置１と受信装置２との間の盗聴を検出する送信側盗聴検出手段１１とを有する制御器１２を有している。制御器１２は、ＣＰＵ、ＲＡＭ、ＲＯＭ、インタフェース回路を有するコンピュータから構成されている。送信装置１の送信手段は、位相変調器６、可変減衰器７、位相変調手段９および減衰率制御手段１０からなる。符号化手段は、位相変調器６と位相変調手段９からなる。可変減衰手段は、可変減衰器７と減衰率制御手段１０からなる。
【００１０】
位相変調器６は、チタンを拡散したリチウムナイオベート（ＬｉＮｂＯ３）素子からなり、制御器１２から加えられる電圧パルスで光パルス列の位相を変調することができる。可変減衰器７は、方向性結合器またはマッハツェンダ形干渉導波路を利用した光学可変減衰器からなり、制御器１２から加えられる電圧により光パルスの減衰量を可変することができる。デテクタ８は、ｐｉｎフォトダイオードと高速増幅器を有している。
【００１１】
送信装置１から送られる送信データは、データ通信用データと盗聴検出用データとを含んでいる。データ通信用データは、公開鍵のデータを含んでいる。
【００１２】
一方、受信装置２は、レーザ光を発するレーザ光源１３と、レーザ光源１３で発せられたレーザ光を送信装置１側に分岐し、また送信装置１から送られた光パルス列を分岐する光分岐器１４と、送信装置１から送られ光分岐器１４で分岐されて入射した光パルス列を受光する受光部１５とを有している。
さらに、受信装置２は、光パルス列の受光に際し偏光方向のいずれかをランダムに選択し、受光した光パルス列を復号化する復号手段１７と、復号化した情報を公開チャネル１６を介して送信装置１の送信側盗聴検出手段１１と協業して照合し、照合結果から盗聴の有無を判断する受信側盗聴検出手段１８とを有する受信装置２の制御器１９を有している。制御器１９は、ＣＰＵ、ＲＡＭ、ＲＯＭ、インタフェース回路を有するコンピュータから構成されている。受信装置２の受信手段は、受光部１５と復号手段１７とから構成されている。
【００１３】
受光部１５は、図示しない偏光方向を変更する位相変調器とアバランシェホトダイオードを有している。
【００１４】
また、送信装置１と受信装置２とは、無線や電話など盗聴を前提とした公開チャネル１６で接続され、量子暗号通信手順を進めるために必要な事項、受信に使用した符号化基底および照合に必要な情報を相互に連絡することができる。
【００１５】
このような構成の送信装置１では、送信する情報を光子の量子状態に対応させて符号化する。送信する情報は、ディジタル情報であるので、「０」と「１」とから構成されている。また、光子の量子状態として偏光状態を用いている。偏光状態の基底としては、水平−垂直偏光方向の基底と、４５°−１３５°偏光方向の基底との２つの基底のいずれかを用いることができる。偏光状態は、光パルス列の位相を変調することにより変えることができる。
データ通信用情報は、水平−垂直偏光方向の基底を用いて符号化される。水平を「０」に、垂直を「１」に対応するように、偏光状態を変える。
【００１６】
一方、盗聴検出用情報は、量子暗号通信手順に従い単一光子光パルス列を符号化する。ここで、量子暗号通信手順（プロトコル）として、ＢＢ８４を取り上げて説明する。ディジタル情報のビット列（「０」および「１」を含む）を光パルス列として符号化するにあたり、水平−垂直偏光方向と４５°−１３５°偏光方向の２種類の基底、すなわち２種類の符号化法を用いる。例えば、水平−垂直偏光方向符号化の場合は「水平」を「０」に、「垂直」を「１」に、４５°−１３５°偏光方向符号化の場合は「４５°」を「０」に、「１３５°」を「１」に対応させる。このような取り決めをＡｌｉｃｅとＢｏｂは予め公開チャンネル１６で行っておく。Ａｌｉｃｅは二進法で書かれた送信情報を用意する。量子暗号通信におけるＡｌｉｃｅとＢｏｂのプロトコルＢＢ８４は次のようになる。
【００１７】
ステップ１では、Ａｌｉｃｅはランダムに符号化法を選択し、送信情報に従って光パルス列の偏光を位相変調器６で変調する。例えば４５°−１３５°偏光方向で符号化することとし、送信情報の最初の値が「１」ならば「４５°」偏光となるように光パルスの偏光状態を変える。Ｂｏｂには選択した符号化法は知らせず、光パルスだけを送る。同様にして引き続くビットに対して次々と光パルスを送る。
【００１８】
ステップ２では、受けた光パルスが光子を１つしか含まないので、不確定性原理により水平−垂直偏光と４５°−１３５°偏光の両方をＢｏｂは測ることができない。従って、どちらの符号化法で測るかを決心し、受光部１５を用いて測定する。Ａｌｉｃｅが選択した符号化法と同じ符号化法または違った符号化法のどちらかを選ぶ確率はそれぞれ５０％である。選んだコーティング法が同じだった場合には、送信情報の値が正しくＢｏｂに再現されるが、間違った場合はそのビットに関するＡｌｉｃｅとＢｏｂとの間の相互情報量はゼロとなる。
【００１９】
ステップ３では、光パルスを１つ測定する毎に（あるいは後でまとめて交信してもよいが）Ｂｏｂはどちらの符号化法を選択したか、公開チャンネル１６でＡｌｉｃｅに伝える。Ａｌｉｃｅはそれを聞き、Ｂｏｂの符号化法の選択が正しかったか否かを公開チャンネル１６でＢｏｂに伝える。
【００２０】
ステップ４では、ＡｌｉｃｅとＢｏｂは双方が同じ符号化法を選択したビットだけを採用し、後のビットは捨てる。盗聴がなければ双方に同じ情報が保有できているはずである。
【００２１】
ステップ５では、ＢｏｂはＡｌｉｃｅと連絡を取りながら残ったビットのうち適当な割合で照合ビットを抽出し、それぞれの答合わせを公開チャンネル１６で行い、受信エラー率を求める。受信エラー率は、照合ビットが一致しなかった割合である。十分な数の照合ビットが一致すれば、１に近い確率で盗聴されていないと結論づける。
このステップ３から５の操作は、送信装置１と受信装置２のそれぞれの送信側盗聴検出手段１１、受信側盗聴検出手段１８により実行される。
このようにして、単一光子光パルス列に係わる量子暗号通信手順に従った信号処理により、盗聴されていないと結論づけたとき、同時に送信され受信された複数光子光パルス列を用いて通常の光通信により受信者側が入手したデータ通信用データを正式に採用する。もし、受信エラー率が高いときは盗聴されていると結論づけて、データ通信用データを廃棄する。正式に採用されたデータ通信用データが共通鍵のときは、この共通鍵を用いて送信したい情報を暗号化し、公開チャネルを介して送受信することができる。
なお、データ通信用データは、公開鍵に限らない。
また、盗聴検出用データも送りたい情報の一部を用いてもよい。
また、この説明では量子暗号通信手順としてＢＢ８４を取り上げたが、他の量子暗号通信手順を用いてもよい。
【００２２】
この送信装置１では、Ｂｏｂ側から送られてきた光パルス列は、光分岐器４により分岐され一方の光パルス列はデテクタ８に入り光強度測定される。もう一方の光パルス列は、ファラデーローテータ鏡５により反射される途中で、制御器１２で制御された位相変調器６によりデテクタ８の出力に基づいて任意タイミングで位相変調される。さらに、可変減衰器７により、その強度すなわち平均光子数が減衰される。平均光子数とは、ある光強度を有する光パルス列を所定の程度減衰したとき観測される光パルス列に含まれる複数の光パルスに含まれる光子の数の平均値である。例えば、平均光子数が０．１の光パルス列の複数の光パルスをその光子数を計測すると平均して１０個の光パルスのうち１個だけ光子を計測することができる。また、平均光子数が５０であれば、各光パルスに対し平均して５０個の光子を計測することができる。
【００２３】
図２は、図１の送信装置１から出力される送信パルスの様子を示す図である。
Ａｌｉｃｅは、送信に用いる光パルス列の強度を減衰させ、平均光子数μ１（好ましくは単一光子）の光パルス列を盗聴検出用の送信パルスとし、複数光子を有する平均光子数μ２の光パルス列をデータ通信用に送信パルスとして生成する。この送信パルスは、図２（ａ）に示すように、可変減衰器７の減衰率を通信間隔毎に任意に切り替えながら送信される。
さらに、平均光子数μ１の光パルス列は、上述の量子暗号通信手順に従い送信情報に基づき、光子の偏光状態を切り替えて符号化されている。それぞれの送信パルスについてその量子状態に送信データの情報を符号化しＢｏｂに送信する。ここで、図３に光パルスに含まれる光子数に対する発生頻度を平均光子数毎に示している。平均光子数μ＝０．１の光パルス列では、光子が１以上含まれる光パルスの発生する頻度がゼロに近いので、平均光子数μ１を０．１にすれば１つの光パルスに単一の光子が含まれるようになる。また、平均光子数μ＝１０の光パルス列では、光パルスに含まれる光子が１０個以上であるので、平均光子数μ２を数１０以上にすれば、光ファイバを通過後においても光パルスが消失しない。
【００２４】
このような通信システムにおいては、ＡｌｉｃｅとＢｏｂとは従来の量子暗号通信システムと同様に平均光子数μ１からなる盗聴検出用送信パルスを用いて盗聴者（以下、慣例に従ってＥｖｅと称す。）の検知を行うことができる。同時に、平均光子数μ２のデータ通信用送信パルスを用いて情報の伝達を行うことができる。
ここで、Ｅｖｅは測定するまで送信パルスにふくまれる光子数を検出できないので、盗聴に際しては全ての送信パルスに対し盗聴を行わねばならない。そのため、単一光子よりなる光パルス列を盗聴し再送信した時には不確定性原理によって通信エラーが発生し、ＡｌｉｃｅとＢｏｂは盗聴を検出できる。
また、盗聴検出の精度を高めたい時には、Ａｌｉｃｅが任意に平均光子数の少ないパルス列の送信頻度を大きくすることで実現できるという効果がある。
また、図２（ｂ）に示すように伝送に伴う減衰率が１０ｄＢであったとしても、平均光子数μ２の光パルス列は、途中で全光子が消失する事なくＢｏｂに到達する確率が高いため、通信レートが向上するという効果がある。
【００２５】
次に、平均光子数μ２のデータ通信用送信パルスを用いることによる通信レートの向上について説明する。
光子パルス列を送信する量子暗号通信システムにおいて、その通信レートＲは、ｑを量子暗号通信プロトコルのシステム因子、μを平均光子数、νを動作周波数、ηｔを伝送効率、ηｄを光子検出効率とすれば、数１で与えられる。
【００２６】
【数１】
2005130194.tif 000003
【００２７】
ここでηｔは、Ｉを伝送距離、Ｌｆを伝送路損失、ＬｂをＢｏｂの内部損失として、数２で与えられる。
【００２８】
【数２】
2005130194.tif 000004
【００２９】
従来の量子暗号通信システムでは、複数光子生成の確率をできるだけ抑えるため平均光子数μを小さくして通信を行い、得られた通信データの一部を盗聴者検出に用いている。しかし本発明では、平均光子数μ１の小さい（好ましくは単一光子）光パルス列を用いて従来と同様に盗聴者検出を行う一方で、平均光子数μ２よりなる光パルス列を用いて情報通信を行っているので、通信レートは数３の割合で向上する。
【００３０】
【数３】
2005130194.tif 000005
【００３１】
ここで、図４に示すように、従来の量子暗号通信システムと同様に複数光子生成の確率を抑制し、例えばその確率が０．５％以下となるように平均光子数μ１＝０．１とする。伝送路損失Ｌｆ＝０．２ｄＢ／ｋｍの光ファイバでＩ＝５０ｋｍ伝送したとすると、数４となるから、情報通信レートの向上率ρは数５と近似でき、理想的にＬｂ＝０とした場合、向上率ρは数６で与えられる。
【００３２】
【数４】
2005130194.tif 000006
【００３３】
【数５】
2005130194.tif 000007
【００３４】
【数６】
2005130194.tif 000008
【００３５】
したがって、μ２＝１、３、１０、３０とすれば、図４に示すように光パルスに含まれる光子の存在確率も高まり、通信レートは、それぞれ９．５倍、２６倍、６３倍、９５倍と向上させることができる。さらに光子検出効率ηｄも複数光子が到達した場合は高いので、さらなる通信レートの向上が可能となる。
【００３６】
このような量子暗号通信システムは、平均光子数の少ない光パルス列の送信により量子暗号通信が有する安全性を確保できる。同時に、平均光子数の多い光子パルス列の送信により光子消失に伴う送信情報の欠損が抑えられるので、通信レートが向上する。
【００３７】
また、光強度の減衰率を任意に可変制御できる減衰率制御手段１０を有した制御器１２が備えられたことにより、任意平均光子数のパルス列を生成し送信パルスとすることができる。
【００３８】
また、通信において常に単一光子発生が要求される訳ではないので、光源に対する過剰な減衰を行わなくとも良いときは、平均光子数を容易に極限に近付けられ通信レートを向上できる。
【００３９】
また、量子暗号原理に従った通信により盗聴の危険性から開放されて暗号用の鍵を交換することができる。
【００４０】
また、平均光子数が少ない程盗聴者の存在を検出しやすくなる。
【００４１】
実施の形態２．
図５はこの発明の実施の形態２に係わる量子暗号通信システムの送信装置から出力される送信パルスの様子を示す図である。この実施の形態２に用いられる送信装置１は、図１と同様であるので説明は省略する。実施の形態１と異なる点は、データ通信用光パルス列と盗聴検出用光パルス列とがそれぞれ平均光子数が異なる２つのパルス列からなることである。データ通信用光パルス列としては、平均光子数μ３とμ４のパルス列である。また、盗聴検出用光パルス列としては、平均光子数μ１とμ２のパルス列である。
【００４２】
このように、盗聴検出用光パルス列として２つのパルス列を用いた場合、平均光子数の小さなパルス列は盗聴検出確率が高くなり、一方平均光子数の多いパルス列は通信レートが高くなる。この２つのパルス列を組み合わせることにより、所望の通信レートと盗聴検出確率とを確保できる。
【００４３】
さらに、平均光子数をμ１、μ２、μ３、・・・、μｋ、・・・、μ（ｎ−１）、μn（μ１＜μ２＜・・・＜μｎ）のｎ個の光パルス列を通信パルスとして用いることもできる。この場合、盗聴検出には平均光子数μ１からμｋまでの光パルス列を用い、データ通信用には平均光子数μ（ｋ＋１）からμｎを用いるとする。
【００４４】
このような通信方法によれば、安全性を高めたい時または盗聴が疑わしい時には、平均光子数μｋを小さくすることで盗聴検出の精度が高められるという効果がある。
Ａｌｉｃｅは送信に用いるレーザ光強度を減少させるにあたり、少なくとも二種類の減衰率をもってレーザ光強度を減少させ、少なくとも二種類の平均光子数の異なるパルスを用いて送信を行う。平均光子数が異なる光パルス列による通信を比較すれば、平均光子数が少ない光パルス列ほど盗聴検出確率が高いが通信レートは低く、逆に平均光子数が多い光パルス列ほど盗聴検出確率は低いが通信レートは高くなることは明らかである。
【００４５】
また、Ａｌｉｃｅが平均光子数の少ない光パルス列の出現頻度を大きくすることで盗聴検出の精度を高められるという効果がある。
【００４６】
なお、ここでは離散的な複数の減衰率を用いた例を示したが、もちろん連続的に減衰率を変化させた光パルス列を用いてもよい。
【図面の簡単な説明】
【００４７】
【図１】この発明に係わる量子暗号通信システムのブロック図である。
【図２】この発明の実施の形態１に係わる送信パルスの様子を説明する図である。
【図３】図２の光パルスにおける光子数と発生頻度の関係を示す図である。
【図４】図２の光パルスの平均光子数と光子存在確率および通信レート向上率の関係を示す図である。
【図５】この発明の実施の形態２に係わる送信パルスの様子を説明する図である。
【符号の説明】
【００４８】
１  送信者側送受信装置（送信装置）、２  受信者側送受信装置（受信装置）、３  光ファイバ、４、１４  光分岐器、５  ファラデーローテータ鏡、６  位相変調器、７  可変減衰器、８  デテクタ、９  位相変調手段、１０  減衰率制御手段、１１  送信側盗聴検出手段、１２、１９  制御器、１３  レーザ光源、１５  受光部、１６  公開チャネル、１７  復号手段、１８  受信側盗聴検出手段。
【図１】
2005130194.tif 000009
【図２】
2005130194.tif 000010
【図３】
2005130194.tif 000011
【図４】
2005130194.tif 000012
【図５】
2005130194.tif 000013